(57)【特許請求の範囲】
【請求項１】
送話部にマイクを内蔵する携帯電話無線機において、
前記送話部は、フリップ筐体と、前記フリップ筐体を覆うカバーフリップ筐体と、からなり、
前記カバーフリップ筐体の裏面には、前記マイクを挿入するためのマイク収納部が設けられ、
更に前記マイクを前記マイク収納部内に保持するためのマイクホルダが設けられ、
前記マイクホルダは、前記マイクと電気的に接続されるケーブルが挿入一体成形され、更に前記送話部の他の内部空間とマイクの気室とを隔離するように、前記フリップ筐体とカバーフリップ筐体との間に設けられており、その上下面は気室となる部分を除いてフリップ筐体及びカバーフリップ筐体に密着する形状に形成されていることを特徴とする携帯電話無線機用送話部。
【請求項２】
更に、前記マイクホルダは、前記マイク収納部と協働して前記マイクを前記マイク収納部に保持し、前記マイクと電気的に接続されるケーブルが挿入一体成形され、更に前記送話部の他の内部空間とマイクの気室とを隔離するように、前記フリップ筐体とカバーフリップ筐体との間に設けられていることを特徴とする請求項１に記載の携帯電話無線機用送話部。
【請求項３】
更に、前記マイクホルダは、前記マイク収納部に圧入されると共に、前記マイクと電気的に接続されるケーブルが挿入一体成形され、更に前記送話部の他の内部空間とマイクの気室とを隔離するように、前記フリップ筐体とカバーフリップ筐体との間に設けられていることを特徴とする請求項１に記載の携帯電話無線機用送話部。
【請求項４】
更に、前記フリップ筐体には、前記マイクホルダを圧入固定するためのマイク収納部が設けられていることを特徴とする請求項１に記載の携帯電話無線機用送話部。
【請求項５】
送話部にマイクを内蔵する携帯電話無線機において、
前記送話部は、フリップ筐体と、前記フリップ筐体を覆うカバーフリップ筐体と、からなり、
前記カバーフリップ筐体の裏面には、前記マイクを挿入するためのマイク収納部が設けられ、
更に前記マイクを前記マイク収納部内に保持するためのマイクホルダが設けられ、
前記マイクホルダは、前記マイクと電気的に接続されるケーブルが収納され、更に前記送話部の他の内部空間とマイクの気室とを隔離するように、前記フリップ筐体とカバーフリップ筐体との間に設けられ、
前記カバーフリップ筐体に固定されている振動部材に、前記マイクが装着されていることを特徴とする携帯電話無線機用送話部。
【請求項６】
前記振動部材には、前記マイクと連通する孔が設けられていることを特徴とする請求項５に記載の携帯電話無線機用送話部。
【請求項７】
送話部にマイクを内蔵する携帯電話無線機において、
前記送話部は、フリップ筐体と、前記フリップ筐体を覆うカバーフリップ筐体と、からなり、
前記カバーフリップ筐体の裏面には、前記マイクを挿入するためのマイク収納部が設けられ、
更に前記マイクを前記マイク収納部内に保持するためのマイクホルダが設けられ、
前記マイクホルダは、
前記マイクと電気的に接続されるケーブルを収納するための孔と、
気室となる部分を除いてフリップ筐体及びカバーフリップ筐体に密着する上下面と、  
を有し、
前記マイクホルダに前記マイクを圧入し、前記孔に通された前記ケーブルと前記マイクとを電気的に接続してから前記孔と前記ケーブルとの隙間を接着剤で埋め、
その後に、前記マイクホルダを前記マイク収納部に圧入すると共に前記送話部の他の内部空間とマイクの気室とが隔離されるように前記フリップ筐体とカバーフリップ筐体のと間に配置したことを特徴とする携帯電話無線機用送話部。
【請求項８】
更に、前記フリップ筐体には、前記マイクホルダを圧入固定するためのマイク収納部が設けられていることを特徴とする請求項７に記載の携帯電話無線機用送話部。
【請求項９】
送話部にマイクを内蔵する携帯電話無線機において、
前記送話部は、フリップ筐体と、前記フリップ筐体を覆うカバーフリップ筐体と、からなり、
前記カバーフリップ筐体の裏面には、前記マイクを挿入するためのマイク収納部が設けられ、
前記マイク収納部に圧入され前記マイク収納部内に前記マイクを固定すると共に前記カバーフリップ筐体と密着するマイクホルダと、
前記マイクと電気的に接続されるケーブルと、
前記ケーブルを前記マイクホルダ上に這わせた後前記マイクホルダ及びケーブルに密着固定させる自己融着ゴムと、有し、
前記自己融着ゴムは、前記フリップ筐体とも密着して、前記送話部の他の内部空間と前記マイクの気室とを隔離することを特徴とする携帯電話無線機用送話部。
【請求項１０】
前記マイクは、差動マイクであることを特徴とする請求項１から請求項９のいずれかに記載の携帯電話無線機用送話部。
【発明の詳細な説明】
【０００１】
【発明の属する技術分野】
本発明は携帯電話無線機用送話部、特に携帯電話無線機用送話部に内蔵されるマイクの固定構造に関する。
【０００２】
【従来の技術】
図１には、一般的な携帯電話無線機の外観が示されている。図１に示すように、携帯電話無線機本体上方には、受話部Ｂが設けられ、受話部Ｂには、複数個の孔が設けられている。また、この受話部Ｂの下方に通話先の電話番号等を表示する表示部Ｃが設けられている。そして、表示部Ｃの下方には、操作部Ｄが形成されている。更に、携帯電話無線機本体の下端には、送話部Ａが回動可能に軸支されている。従って、携帯電話無線機を使用する場合には、操作部Ｄを覆うように折り畳まれた送話部Ａを回動させて開き、送話部Ａを介して音声を送信する。一方、未使用時には、送話部Ａを回動させて折り畳んでおく。また、上記送話部Ａは、フリップ筐体１とフリップ筐体１を覆うカバーフリップ筐体２とからなり、送話部Ａには、差動マイクが内蔵されている。更に、フリップ筐体１及びカバーフリップ筐体２には、差動マイクの前後に当たる個所に孔が設けられている。従って、この前後の孔から差動マイクに音声が伝わる。ここで、差動マイクとは、一般に指向性マイク、接話マイク等の総称であって、前後の音声を集音し、その差を取って横方向から来る音をキャンセルするマイクをいう。
【０００３】
次に、図８を用いて、従来の携帯電話無線機における送話部内の差動マイクの固定構造について説明する。尚、図８は、従来の携帯電話無線機を図１のａ−ａ′線に沿って見た断面図である。
【０００４】
カバーフリップ筐体２ｃの裏面には、差動マイク３を挿入するための円筒状のリブ１２ｃが設けられている。また、差動マイク３は、ケーブル５ａと半田付けされた後、マイクホルダ４ｇ内に挿入される。また、マイクホルダ４ｇは、差動マイク３をリブ１２ｃ内に固定するように、リブ１２ｃに圧入される。尚、マイクホルダ４ｇは、例えばゴム素材からなる。従って、マイクホルダ４ｇによって、差動マイク３の前面と背面との絶縁性が取られ、かつ前気室の気密性が確保される。
【０００５】
次に、カバーフリップ筐体２ｃとフリップ筐体１ａとを組み合わせる。この時、マイクホルダ４ｇとフリップ筐体１ａとの接触部分、特にケーブル５ａとマイクホルダ４ｇ及びフリップ筐体１ａとの間の隙間を埋めるために、接着剤９がその隙間部分に塗布される。これによって、差動マイク３の後気室の密閉性が確保される。
【０００６】
ここで、前気室とは、カバーフリップ筐体２ｃに設けられた孔を介してマイクの前面に至る送話部Ａ内の空間をいい、また後気室とは、フリップ筐体１ａに設けられた孔を介してマイクの後面に至る送話部Ａ内の空間をいう。また、気室は、音声を空気を介して差動マイクに伝達するための空間である。
【０００７】
【発明が解決しようとする課題】
しかしながら、上記従来の携帯電話無線機用送話部は、図８に示すようにフリップ筐体１ａとマイクホルダ４ｇとの密着性を確保するために、接着剤９をケーブル５ａとマイクホルダ４ｇ及びフリップ筐体１ａとの間に塗布して隙間を埋めるため、この接着剤９の塗布量、塗布する場所にばらつきが発生する可能性が高く、このため差動マイク３の後気室の気密性が不十分となるおそれがあった。後気室の気密性が不十分になると、フリップ筐体１ａやカバーフリップ筐体２ｃの振動が送話部Ａ（すなわち、フリップ）内で共鳴して雑音として差動マイク３に集音されたり、受話部Ｂからの音声が送話部Ａに回り込みエコーとなって差動マイク３に集音されたり等するため、差動マイク３の感度が劣化するという問題があった。
【０００８】
本発明は上記従来の課題に鑑みたものであり、その目的は、組み立て時の作業性を良好にして、後気室の機密性を担保し、製品のばらつきを防止した感度の良好な携帯電話無線機用送話部を提供することである。
【０００９】
【課題を解決するための手段】
以上のような課題を解決するために、本発明に係る携帯電話無線機用送話部は、以下の特徴を有する。
【００１０】
（１）送話部にマイクを内蔵する携帯電話無線機において、前記送話部は、フリップ筐体と、前記フリップ筐体を覆うカバーフリップ筐体と、からなり、前記カバーフリップ筐体の裏面には、前記マイクを挿入するためのマイク収納部が設けられ、更に前記マイクを前記マイク収納部内に保持するためのマイクホルダが設けられ、前記マイクホルダは、前記マイクと電気的に接続されるケーブルが挿入一体成形され、更に前記送話部の他の内部空間とマイクの気室とを隔離するように、前記フリップ筐体とカバーフリップ筐体との間に設けられており、その上下面は気室となる部分を除いてフリップ筐体及びカバーフリップ筐体に密着する形状に形成されている。
【００１１】
従って、マイクホルダには、ケーブルが収納されているので、従来のように組み立て時にケーブルとマイクホルダ及びフリップ筐体との間の隙間を接着剤で埋める必要がなく、後気室の気密性のばらつきを防止できる。また、マイクホルダがフリップ筐体及びカバーフリップ筐体との間に設けられ、送話部の他の内部空間とマイクの気室とを隔離するように成形されているので、マイクホルダをマイク収納部に保持するだけで、簡便にマイクの前後の気室の気密性を確保できる。これにより、フリップ筐体やカバーフリップ筐体の振動が送話部（すなわち、フリップ）内で共鳴して雑音としてマイクに集音されることも、受話部からの音声が送話部に回り込みエコーとなってマイクに集音される可能性もない。
【００１２】
（２）上記（１）に記載の携帯電話無線機用送話部において、更に、前記マイクホルダは、前記マイク収納部と協働して前記マイクを前記マイク収納部に保持し、前記マイクと電気的に接続されるケーブルが挿入一体成形され、更に前記送話部の他の内部空間とマイクの気室とを隔離するように、前記フリップ筐体とカバーフリップ筐体との間に設けられている。
【００１３】
従って、マイクホルダをマイク収納部と協働してマイクをマイク収納部に保持するだけで、簡便にマイクの前後の気室の気密性を確保できる。
【００１４】
（３）上記（１）に記載の携帯電話無線機用送話部において、更に、前記マイクホルダは、前記マイク収納部に圧入されると共に、前記マイクと電気的に接続されるケーブルが挿入一体成形され、更に前記送話部の他の内部空間とマイクの気室とを隔離するように、前記フリップ筐体とカバーフリップ筐体との間に設けられている。
【００１５】
従って、マイクホルダをマイク収納部に圧入するだけで、簡便にマイクの前後の気室の気密性を確保することができる。
【００１６】
（４）上記（１）に記載の携帯電話無線機用送話部において、更に、前記フリップ筐体には、前記マイクホルダを圧入固定するためのマイク収納部が設けられている。
【００１７】
すなわち、フリップ筐体及びカバーフリップ筐体に、それぞれマイクホルダを圧入するためのマイク収納部が設けられているので、マイクホルダをフリップ筐体とカバーフリップ筐体とにより密着固定することができる。このため、上記同様、フリップ筐体やカバーフリップ筐体の振動がフリップ内で共鳴して雑音としてマイクに集音されることも、受話部からの音声が送話部に回り込みエコーとなってマイクに集音される可能性もなく、良好な感度が得られる。
【００１８】
（５）送話部にマイクを内蔵する携帯電話無線機において、前記送話部は、フリップ筐体と、前記フリップ筐体を覆うカバーフリップ筐体と、からなり、前記カバーフリップ筐体の裏面には、前記マイクを挿入するためのマイク収納部が設けられ、更に前記マイクを前記マイク収納部内に保持するためのマイクホルダが設けられ、前記マイクホルダは、前記マイクと電気的に接続されるケーブルが収納され、更に前記送話部の他の内部空間とマイクの気室とを隔離するように、前記フリップ筐体とカバーフリップ筐体との間に設けられ、前記カバーフリップ筐体に固定されている振動部材に、前記マイクが装着されている。
【００１９】
従って、振動部材にマイクが装着されているので、振動部材を介して音声をマイクに伝えることができる。このため、マイクの前気室が不要となり、フリップの厚みを薄くすることができる。これにより、携帯電話無線機自体の厚みも薄型化が可能となる。
【００２０】
（６）上記（５）に記載の携帯電話無線機用送話部において、マイクと連通する孔が設けられている。
【００２１】
例えば、差動マイクを用いる場合、マイク前面と背面の空気振動の差によって集音するので、マイク前面の振動部材に連通部を設けることにより、マイク前面と背面の音圧差のバランスが良好となる。従って、マイクの集音の感度が向上する。
【００２２】
（７）送話部にマイクを内蔵する携帯電話無線機において、前記送話部は、フリップ筐体と、前記フリップ筐体を覆うカバーフリップ筐体と、からなり、前記カバーフリップ筐体の裏面には、前記マイクを挿入するためのマイク収納部が設けられ、更に前記マイクを前記マイク収納部内に保持するためのマイクホルダが設けられ、前記マイクホルダは、前記マイクと電気的に接続されるケーブルを収納するための孔と、気室となる部分を除いてフリップ筐体を及びカバーフリップ筐体に密着する上下面と、を有し、前記マイクホルダに前記マイクを圧入し、前記孔に通された前記ケーブルと前記マイクとを電気的に接続してから前記孔と前記ケーブルとの隙間を接着剤で埋め、その後に、前記マイクホルダが前記マイク収納部に圧入される共に前記送話部の他の内部空間とマイクの気室とが隔離されるように前記フリップ筐体とカバーフリップ筐体のと間に配置される。
【００２３】
従って、マイクホルダには、ケーブルを収納するケーブル収納部が設けられ、またマイクホルダは、フリップ筐体及びカバーフリップ筐体との間に配置されているので、ケーブル収納後にケーブル収納部とケーブルとの間の空間を接着剤で塞ぐことによって、送話部の他の内部空間とマイクの気室とを隔離することができる。特に、接着剤の塗布する場所が特定されており、塞ぐ隙間も限定されているので、後気室の気密性のばらつきを防止することができる。これによって、上記同様良好な感度を得ることができる。
【００２４】
（８）上記（７）に記載の携帯電話無線機用送話部において、更に、前記フリップ筐体には、前記マイクホルダを圧入固定するためのマイク収納部が設けられている。
【００２５】
すなわち、フリップ筐体及びカバーフリップ筐体に、それぞれマイクホルダを圧入するためのマイク収納部が設けられているので、マイクホルダをフリップ筐体とカバーフリップ筐体とにより確実に固定することができる。このため、上記同様、良好な感度を得ることができる。
【００２６】
（９）送話部にマイクを内蔵する携帯電話無線機において、前記送話部は、フリップ筐体と、前記フリップ筐体を覆うカバーフリップ筐体と、からなり、前記カバーフリップ筐体の裏面には、前記マイクを挿入するためのマイク収納部が設けられ、前記マイク収納部に圧入され前記マイク収納部内に前記マイクを固定すると共に前記カバーフリップ筐体と密着するマイクホルダと、前記マイクと電気的に接続されるケーブルと、前記ケーブルを前記マイクホルダ上に這わせた後前記マイクホルダ及びケーブルと密着固定される自己融着ゴムと、を有し、前記自己融着ゴムは、前記フリップ筐体とも密着して、前記送話部の他の内部空間と前記マイクの気室とを隔離する。
【００２７】
従って、マイクホルダをマイク収納部に圧入してマイクの前気室を気密にすると共に、ケーブルをマイクホルダ上に這わせた後、自己融着ゴムをマイクホルダ及びケーブルに密着固定され、更に自己融着ゴムの他の面は、フリップ筐体に密着するので、マイクの後気室も気密になる。これにより、簡便に送話部の他の内部空間と前記マイクの気室とを隔離することができ、上記同様良好な感度を得ることができる。
【００３０】
（１０）上記（１）から（９）のいずれかに記載の携帯電話無線機の送話部において、マイクは、差動マイクである。
【００３１】
上述の（１）〜（１０）の構成により、送話部の他の内部空間とマイクの気室とを隔離されるが、更に差動マイクを用いることにより、送話部の表裏の両方向から音声を集音し、両者の差を取って横方向からの雑音をキャンセルすると同時に、球面波と平面波による近接の音声は集音され、遠方の音声をキャンセルするなどして音声の調整を行うことができるので、音声が明瞭になる。
【００３２】
【発明の実施の形態】
以下、本発明の好適な一実施の形態を説明する。
【００３３】
第１実施形態．
図１及び図２を用いて、第１実施形態の携帯電話無線機用送話部について説明する。尚、上述した従来の携帯電話無線機等の構成と同様の構成要件には、同一の符号を付しその説明を省略する。
【００３４】
図２には、本実施形態の携帯電話無線機を図１のａ−ａ′線に沿って見た断面が示されている。
【００３５】
図２に示すように、フリップ筐体１ａ及びカバーフリップ筐体２ａには、それぞれ差動マイク３と対峙する個所に孔２１ａ、孔２２ａが設けられている。また、カバーフリップ筐体２ａの裏面には、差動マイク３を挿入するためのマイク収納部が設けられている。本実施形態において、マイク収納部は、円筒状のリブ１２ａである。更に、マイクホルダ４ａは、差動マイク３と電気的に接続される、例えば半田付けにより接続されるケーブル５ａが収納（例えば挿入一体成形）されている。また、マイクホルダ４ａは、その上下面が前気室１４及び後気室１６となる部分を除いて、フリップ筐体１ａ及びカバーフリップ筐体２ａに密着する形状に成形されている。従って、マイクホルダ４ａは、リブ１２ａと協働して差動マイク３をリブ１２ａに保持し、更に送話部Ａの他の内部空間と差動マイク３の前気室１４、後気室１６とが隔離される。また、マイクホルダ４ａは、例えばゴム素材等からなるので、フリップ筐体１ａ及びカバーフリップ筐体２ａとの密着性が高くなる。更に、従来のマイクホルダに比べ、フリップ筐体１ａ及びカバーフリップ筐体２ａに接する表面積を大きくしたことにより、フリップ筐体１ａとカバーフリップ筐体２ａとの剛性が高くなる。
【００３６】
従って、マイクの前後気室の気密性を確保され、更にフリップ筐体１ａとカバーフリップ筐体２ａとの剛性が高くなるので、フリップ筐体１ａやカバーフリップ筐体２ａの振動が送話部Ａ（すなわち、フリップ）内で共鳴して雑音としてマイクに集音されることも、受話部からの音声が送話部に回り込みエコーとなってマイクに集音される可能性もない。
【００３７】
次に、本実施形態の携帯電話無線機用送話部の組み立てについて、図２を用いて説明する。
【００３８】
ケーブル５ａが挿入一体成形されたマイクホルダ４ａに差動マイク３を挿入する。次いで、ケーブル５ａを差動マイク３に半田付けする。その後、カバーフリップ筐体２ａのリブ１２ａにマイクホルダ４ａを圧入する。これによって、マイクホルダ４ａの下面は、カバーフリップ筐体２ａの裏面に密着して前気室１４の気密性を確保すると共に、このマイクホルダ４ａによって、差動マイク３の前面と背面との絶縁性を取ることができる。次いで、カバーフリップ筐体２ａにフリップ筐体１を係合させる。ことにより、マイクホルダ４ａの上面がフリップ筐体１に密着し、後気室１６の気密性が確保される。更に、ケーブル５ａ部分もマイクホルダ４ａに一体成形されているので、従来のように、ケーブルとマイクホルダとの間の密閉性が不十分となり、後気室１６の漏れが生じるおそれもない。  なお、本実施形態では、マイクホルダ４ａの上下面が、フリップ筐体１ａとカバーフリップ筐体２ａに密着しているが、これに限るものではなく、上下面のいずれかに他の密着部材が挿入されてもよい。また、本実施形態では、差動マイク３を用いたが、これに限るものではなく、携帯電話無線機用送話部に用いられるマイクであればよい。
【００３９】
第２実施形態．
図１及び図３を用いて、第２実施形態の携帯電話無線機用送話部について説明する。尚、上述した従来の携帯電話無線機等及び第１実施形態の構成と同様の構成要件には、同一の符号を付しその説明を省略する。
【００４０】
図３には、本実施形態の携帯電話無線機を図１のａ−ａ′線に沿って見た断面が示されている。
【００４１】
本実施形態の携帯電話無線機用送話部は、図３に示すように、第１実施形態の送話部の構成に加え、更にフリップ筐体１ｂの裏面には、マイクホルダ４ａを圧入固定するための他のマイク収納部が設けられている。本実施形態において、他のマイク収納部は、円筒状のリブ１１ｂである。本実施形態において、リブ１１ｂは、リブ１２ａに対峙する位置であって、リブ１２ａの外径より大きく形成されている。
【００４２】
従って、図３に示すように本実施形態の送話部は、フリップ筐体１ｂ及びカバーフリップ筐体２ａの裏面に、それぞれマイクホルダ４ｂを圧入するためのリブ１１ｂとリブ１２ａが設けられているので、マイクホルダ４ｂは、上下に位置するリブ１１ｂ及びリブ１２ａに圧入され、フリップ筐体１ｂとカバーフリップ筐体２ａとに第１実施形態に比べてより密着固定する。これにより、後気室１６の気密性は、第１実施形態に比べより確実になる。
【００４３】
このため、上記同様、フリップ筐体１ｂやカバーフリップ筐体２ａの振動がフリップ内で共鳴して雑音として差動マイク３に集音されることも、受話部Ｂからの音声が送話部Ａに回り込みエコーとなって差動マイク３に集音される可能性もなく、良好な感度が得られる。
【００４４】
第３実施形態．
図１及び図４を用いて、第３実施形態の携帯電話無線機用送話部について説明する。尚、上述した従来の携帯電話無線機等及び第１実施形態の構成と同様の構成要件には、同一の符号を付しその説明を省略する。
【００４５】
図４には、本実施形態の携帯電話無線機を図１のａ−ａ′線に沿って見た断面が示されている。
【００４６】
本実施形態の携帯電話無線機用送話部は、図４に示すように、カバーフリップ筐体２ａの裏面には、差動マイク３を挿入するためのマイク収納部、すなわち円筒状のリブ１２ａが設けられ、一方フリップ筐体１ｃの裏面にも、マイクホルダ４ｃを圧入固定するための他のマイク収納部、すなわち円筒状のリブ１１ｃが設けられている。このリブ１１ｃは、リブ１２ａに対峙し、ほぼリブ１２ａの外径と同じ大きさに形成されている。また、マイクホルダ４ｃは、差動マイク３と電気的に接続されるケーブル５ａを収納する収納部、すなわちケーブル５ａを貫通させる孔が設けられ、更にリブ１２ａ及びリブ１１ｃ内に圧入され、その上下面が、前気室１４及び後気室１６となる部分を除いて、フリップ筐体１ｃ及びカバーフリップ筐体２ａに密着するような形状に成形されている。なお、上記マイクホルダ４ｃも、例えばゴム素材等からなるので、フリップ筐体１ａ及びカバーフリップ筐体２ａとの密着性が高くなる。
【００４７】
次に、本実施形態の携帯電話無線機用送話部の組み立てについて、図４を用いて説明する。
【００４８】
まず、マイクホルダ４ｃ内に差動マイク３を挿入し、次いでマイクホルダ４ｃの孔にケーブル５ａを通す。その後、差動マイク３にケーブル５ａを半田付けし、孔とケーブル５ａとの間の空間を接着剤９によって塞ぐ。更に、カバーフリップ筐体２ａのリブ１２ａにマイクホルダ４ｃを圧入し、その後マイクホルダ４ｃがリブ１１ｃ内に圧入されるように、カバーフリップ筐体２ａにフリップ筐体１ｃを係合させる。
【００４９】
これにより、差動マイク３の前面と背面の絶縁性を取れる。また、ケーブル５ａの貫通後に孔とケーブル５ａとの間の空間を接着剤９によって塞ぐことにより、送話部Ａの他の内部空間と気室、特に後気室１６とを隔離することができる。更に、接着剤９の塗布する場所が特定されており、塞ぐ隙間も限定されているので、後気室１６の気密性のばらつきを防止することができる。また、少量の接着剤９により隙間を塞ぐことができるので、材料コストを低減することができる。また、上記同様に良好な感度を得ることができる。
【００５０】
第４実施形態．
図１及び図５を用いて、第４実施形態の携帯電話無線機用送話部について説明する。尚、上述した従来の携帯電話無線機等及び第１実施形態の構成と同様の構成要件には、同一の符号を付しその説明を省略する。
【００５１】
図５には、本実施形態の携帯電話無線機を図１のａ−ａ′線に沿って見た断面が示されている。
【００５２】
本実施形態の携帯電話無線機用送話部は、図５に示すように、カバーフリップ筐２ａ体の裏面に、差動マイク３を挿入するためのマイク収納部、すなわち円筒状のリブ１２ａが設けられている。また、マイクホルダ４ｄは、リブ１２ａに圧入されリブ１２ａ内に差動マイク３を固定すると共に、前気室１４となる部分を除いて、カバーフリップ筐体２ａと密着する。これによって、差動マイク３の前面と背面の絶縁性を取ると共に、前気室１４の気密性も担保される。なお、上記マイクホルダ４ｄは、例えばゴム素材等からなり、従来のマイクホルダに比べカバーフリップ筐体２ａに接触する面積が大きいので、カバーフリップ筐体２ａとの密着性が高くなる。
【００５３】
本実施実施形態の特徴は、マイクホルダ４ｄが、送話部Ａの厚みよりやや薄く形成され、後述する自己融着ゴム６と融着しやすい素材からなり、またケーブル５ｂも、その外皮の絶縁材料が自己融着ゴム６と融着しやすい素材、例えば天然ゴムからなることである。従って、ケーブル５ｂを差動マイク３に電気的に接続した後、ケーブル５ｂをマイクホルダ４ｄ上に這わせ、その後マイクホルダ４ｄ及びケーブル５ｂに自己融着ゴム６を融着させる。これにより、これらを一体化させることができる。自己融着ゴム６としては、伸展させると活性化し、伸展させた状態で対象物に貼り付けると、その形状で固まる例えば天然ゴム等が好ましい。
【００５４】
次に、本実施形態の携帯電話無線機用送話部の組み立てについて、図５を用いて説明する。
【００５５】
まず、差動マイク３にケーブル５ａを半田付けした後、差動マイク３をマイクホルダ４ｄ内に挿入し、マイクホルダ４ｄをリブ１２ａに圧入する。これにより、差動マイク３の前面と背面との絶縁性を取り、かつ前気室１４が気密になる。次に、ケーブル５ｂをマイクホルダ４ｄ上に這わせ、マイクホルダ４ｄ及びケーブル５ｂに後気室１６になる部分を除いて、自己融着ゴム６を貼り融着させる。また、自己融着ゴム６の厚みは、その後カバーフリップ筐体２ａにフリップ筐体１ａを係合させたときに、自己融着ゴム６の上面がフリップ筐体１ａに密着する厚みとする。これにより、自己融着ゴム６は、マイクホルダ４ｄ、ケーブル５ｂ及びフリップ筐体１ａに密着し、後気室１６が気密になる。このため、送話部Ａの他の内部空間と気室、特に後気室１６とを隔離することができ、上記同様、良好な感度を得ることができる。
【００５６】
第５実施形態．
図１及び図６を用いて、第５実施形態の携帯電話無線機用送話部について説明する。尚、上述した従来の携帯電話無線機等及び第１実施形態の構成と同様の構成要件には、同一の符号を付しその説明を省略する。
【００５７】
図６には、本実施形態の携帯電話無線機を図１のａ−ａ′線に沿って見た断面が示されている。
【００５８】
本実施形態の携帯電話無線機用送話部は、図６に示すように、カバーフリップ筐体２ａの裏面には、差動マイク３を挿入するためのマイク収納部、すなわち円筒状のリブ１２ａが設けられている。また、マイクホルダ４ｅは、リブ１２ａ内に圧入されると共に、カバーフリップ筐体２ａと前気室１４及び後気室１６となる部分を除いてカバーフリップ筐体２ａと密着する。更に、マイクホルダ４ｅには、差動マイク３と電気的に接続されるケーブル５ａを挿入可能な凹部が設けられている。また、フリップ筐体１ａには、注入後硬化する硬化液７をその内部に注入するための注入口９が設けられている。尚、マイクホルダ４ｅは、密着性の観点から例えばゴム素材からなる。
【００５９】
本実施形態の携帯電話無線機用送話部の組み立てる場合、差動マイク３をマイクホルダ４ｅ内に挿入し、次いで、凹部にケーブル５ａを差し込み、差動マイク３にケーブル５ａを半田付けする。その後、マイクホルダ４ｅをリブ１２ａに圧入する。これにより、差動マイク３の前面と背面の絶縁性を取ると共に、前気室１４が気密になる。次いで、カバーフリップ筐体２ａにフリップ筐体１ａを係合させる。このように送話部Ａが組み立てられた後に、注入口９から硬化液７を送話部Ａ内に注入し、硬化液７によって、差動マイク３周辺のフリップ筐体１ａとカバーフリップ筐体２ａとの間の隙間を埋める。これにより、送話部Ａの他の内部空間と後気室１６とを隔離することができる。従って、上記同様良好な感度を得ることができる。更に、硬化液７が内部で硬化することによって、フリップ筐体１ａとカバーフリップ筐体２ａとの剛性感が高まる。
【００６０】
本実施形態における硬化液７としては、初期は流動性を有し、その後硬化する液体であればよく、例えばスキー靴等の足型を取るために用いる硬化剤等が好適である。
【００６１】
第６実施形態．
図１及び図７を用いて、第６実施形態の携帯電話無線機用送話部について説明する。尚、上述した従来の携帯電話無線機等及び第１実施形態の構成と同様の構成要件には、同一の符号を付しその説明を省略する。
【００６２】
図７には、本実施形態の携帯電話無線機を図１のａ−ａ′線に沿って見た断面が示されている。
【００６３】
本実施形態の携帯電話無線機用送話部は、図７に示すように、第１実施形態の構成に近似し、カバーフリップ筐体２ｂの裏面に、差動マイク３を挿入するためのマイク収納部、すなわち円筒状のリブ１２ａが設けられ、またマイクホルダ４ｆは、後気室１６になる部分を除いて、フリップ筐体１ａとカバーフリップ筐体２ｂに密着するように成形され、更にケーブル５ａが挿入一体成形されている。尚、上記マイクホルダ４ｆは、密着性の観点からゴム素材からなる。
【００６４】
本実施形態の特徴は、カバーフリップ筐体２ｂに固定されている振動部材に、差動マイク３が装着されている。本実施形態において、振動部材は、薄い（例えば数十ミクロンの厚さ）金属プレート８である。また、金属プレート８には、差動マイク３が音声を集音するためのマイクに連通する連通部が設けられている。本実施形態において、連通部は孔１８である。なお、金属プレート８自体は、薄いプレートであって、カバーフリップ筐体２ｂと同等の強度を有するプレートである。
【００６５】
従って、金属プレート８を介して音声の振動を差動マイク３に伝えることができるので、差動マイク３の前気室が不要となり、送話部Ａの厚みを薄くすることができ、携帯電話無線機自体の厚みも薄型化が可能となる。更に、差動マイク３を用いる場合、マイク前面と背面の空気振動の差によって集音するので、マイク前面の振動部材（すなわち、金属プレート８）に連通部（すなわち、孔１８）を設けることにより、マイク前面と背面の音圧差のバランスが良好となる。従って、マイクの集音の感度が向上する。
【００６６】
【発明の効果】
以上のように、本発明に係る携帯電話無線機用送話部によれば、マイクホルダにケーブルを収納することにより、従来のように組み立て時にケーブルとマイクホルダ及びフリップ筐体との間の隙間を接着剤で埋める必要がなく、特に後気室の気密性のばらつきを防止でき、作業性も向上する。また、マイクホルダがフリップ筐体及びカバーフリップ筐体との間に設けられ、送話部の他の内部空間とマイクの気室とを隔離するように成形されているので、マイクホルダをマイク収納部に保持するだけで、簡便にマイクの気室の気密性を確保できる。
【００６７】
また、フリップ筐体及びカバーフリップ筐体に、それぞれマイクを保持するマイク収納部を設けることにより、マイクホルダは、マイク収納部と協働してマイクをマイク収納部に確実に保持することができる。更に、フリップ筐体及びカバーフリップ筐体にそれぞれ設けられたマイク収納部に、マイクホルダを圧入することにより、マイクホルダをフリップ筐体とカバーフリップ筐体との間に確実に配置することができる。このため、上記同様、フリップ筐体やカバーフリップ筐体の振動がフリップ内で共鳴して雑音としてマイクに集音されることも、受話部からの音声が送話部に回り込みエコーとなってマイクに集音される可能性もなく、良好な感度が得られる。
【００６８】
また、振動部材をマイク前面に配置することによって、振動部材を介して音声をマイクに伝えることができる。このため、マイクの前気室が不要となり、フリップの厚みを薄くすることができる。これにより、携帯電話無線機自体の厚みも薄型化が可能となる。
【００６９】
また、振動部材に連通部を設けることにより、差動マイクを用いる場合のマイク前面と背面の音圧差のバランスが良好となる。従って、マイクの集音の感度が向上する。
【００７０】
また、マイクホルダにケーブルを収納するケーブル収納部を設け、またマイクホルダの上下面が、フリップ筐体及びカバーフリップ筐体との間に配置されるようにマイクホルダを成形することによって、ケーブル収納後にケーブル収納部とケーブルとの間の空間を接着剤によって塞ぎ、送話部の他の内部空間とマイクの気室とを隔離することができる。特に、接着剤の塗布する場所が特定されており、塞ぐ隙間も限定されているので、気密性のばらつきを防止することができる。
【００７１】
また、マイクホルダをマイク収納部に圧入してマイクの前気室を気密にすると共に、ケーブルをマイクホルダ上に這わせた後、自己融着ゴムをマイクホルダ及びケーブルに密着固定し、更に自己融着ゴムの他の面が、フリップ筐体に密着するように構成したことにより、マイクの後気室も気密になる。従って、簡便に送話部の他の内部空間と前記マイクの気室とを隔離することができる。
【００７２】
また、フリップ筐体に設けられた注入口から硬化液を注入し、硬化液によってマイク周辺のフリップ筐体とカバーフリップ筐体間の隙間を埋めることにより、送話部の他の内部空間とマイクの気室とを隔離することができる。
【００７３】
以上のように送話部の他の内部空間とマイクの気室とを隔離するより、フリップ筐体やカバーフリップ筐体の振動が送話部（すなわち、フリップ）内で共鳴して雑音としてマイクに集音されることも、受話部からの音声が送話部に回り込みエコーとなってマイクに集音される可能性もない。
【図面の簡単な説明】
【図１】一般的な携帯電話無線機の外観を示す斜視図である。
【図２】第１実施形態の携帯電話無線機を図１のａ−ａ′線に沿って見た断面図である。
【図３】第２実施形態の携帯電話無線機を図１のａ−ａ′線に沿って見た断面図である。
【図４】第３実施形態の携帯電話無線機を図１のａ−ａ′線に沿って見た断面図である。
【図５】第４実施形態の携帯電話無線機を図１のａ−ａ′線に沿って見た断面図である。
【図６】第５実施形態の携帯電話無線機を図１のａ−ａ′線に沿って見た断面図である。
【図７】第６実施形態の携帯電話無線機を図１のａ−ａ′線に沿って見た断面図である。
【図８】従来の携帯電話無線機を図１のａ−ａ′線に沿って見た断面図である。
【符号の説明】
１ａ  フリップ筐体、２ａ  カバーフリップ筐体、３  差動マイク、４ａ  マイクホルダ、５ａ  ケーブル、１２ａ  リブ，１４  前気室、１６  後気室、２１ａ，２２ａ  孔、Ａ  送話部、Ｂ  受話部、Ｃ  表示部、Ｄ  操作部。
【図１】
0003601900.tif 000002
【図２】
0003601900.tif 000003
【図３】
0003601900.tif 000004
【図４】
0003601900.tif 000005
【図５】
0003601900.tif 000006
【図６】
0003601900.tif 000007
【図７】
0003601900.tif 000008
【図８】
0003601900.tif 000009